(57)【要約】【課題】  インバータの信号出力用制御ポートが増加することを抑制し得る系統連系システムを提供する。【解決手段】  直流電源１１と交流電源系統１２間に接続され、その直流電源１１の出力を交流変換するインバータ１３と、インバータ１３の系統連系運転前にその制御電力を給電する第一の制御電源１５と、インバータ１３の直流側に接続され、インバータ１３の系統連系運転中にその制御電力を給電する第二の制御電源１６と、インバータ１３の交流側に接続され、インバータ出力の位相および振幅が交流電源系統１２と一致した時点でインバータ１３の制御回路からの制御信号Ｓ１に基づいて交流電源系統１２と連系させる開閉器１４とを備えた系統連系システムであって、第一の制御電源１５は、開閉器１４に既設されてインバータ１３の制御回路からの制御信号Ｓ１に連動するＢ接点１４ｂを介して交流電源系統１２に接続されている。【選択図】  図１
2005295648.tif 000002
【特許請求の範囲】
【請求項１】
直流電源と交流電源系統間に接続され、その直流電源の出力を交流変換するインバータと、前記インバータの系統連系運転前にその制御電力を給電する第一の制御電源と、前記インバータの直流側に接続され、インバータの系統連系運転中にその制御電力を給電する第二の制御電源と、前記インバータの交流側に接続され、インバータ出力の位相および振幅が交流電源系統と一致した時点でインバータ制御回路からの制御信号に基づいて交流電源系統と連系させる開閉器とを備えた系統連系システムであって、前記第一の制御電源は、開閉器に既設されて前記インバータ制御回路からの制御信号に連動するＢ接点を介して交流電源系統に接続されていることを特徴とする系統連系システム。
【請求項２】
直流電源と交流電源系統間に接続され、その直流電源の出力を交流変換するインバータと、前記インバータの系統連系運転前にその制御電力を給電する第一の制御電源と、前記インバータの直流側に接続され、インバータの系統連系運転中にその制御電力を給電する第二の制御電源と、前記インバータの交流側に接続され、インバータ出力の位相および振幅が交流電源系統と一致した時点でインバータ制御回路からの制御信号に基づいて交流電源系統と連系させる開閉器とを備えた系統連系システムであって、前記第一の制御電源は、開閉器に既設されて前記インバータ制御回路からの制御信号に連動するＢ接点を介して交流電源系統とは別に設置された任意の電源系統に接続されていることを特徴とする系統連系システム。
【請求項３】
直流電源と交流電源系統間に接続され、その直流電源の出力を交流変換するインバータと、前記インバータの系統連系運転前にその制御電力を給電する第一の制御電源と、前記インバータの直流側に接続され、インバータの系統連系運転中にその制御電力を給電する第二の制御電源と、前記インバータの交流側に接続され、インバータ出力の位相および振幅が交流電源系統と一致した時点でインバータ制御回路からの制御信号に基づいて交流電源系統と連系させる開閉器とを備えた系統連系システムであって、前記第一の制御電源は、インバータ制御回路からの制御信号に基づいて前記開閉器と連動して開閉する接点を介して交流電源系統に接続されていることを特徴とする系統連系システム。
【請求項４】
直流電源と交流電源系統間に接続され、その直流電源の出力を交流変換するインバータと、前記インバータの系統連系運転前にその制御電力を給電する第一の制御電源と、前記インバータの直流側に接続され、インバータの系統連系運転中にその制御電力を給電する第二の制御電源と、前記インバータの交流側に接続され、インバータ出力の位相および振幅が交流電源系統と一致した時点でインバータ制御回路からの制御信号に基づいて交流電源系統と連系させる開閉器とを備えた系統連系システムであって、前記第一の制御電源は、インバータ制御回路からの制御信号に基づいて前記開閉器と連動して開閉する接点を介して交流電源系統とは別に設置された任意の電源系統に接続されていることを特徴とする系統連系システム。
【発明の詳細な説明】
【技術分野】
【０００１】
本発明は、系統連系システムに関し、詳しくは、直流電源と交流電源系統間に接続され、その直流電源の出力電力を交流変換するインバータに制御電力を給電する手段を具備した系統連系システムに関する。
【背景技術】
【０００２】
例えば、太陽電池、二次電池や燃料電池などの直流電源（分散電源）にて発電した電力をインバータを介して交流電源系統と接続された一般家庭などの交流電力需要家に送電するような、例えば単相三線式（１００Ｖ／２００Ｖ）、三相三線式（２００Ｖ）や単相二線式（２００Ｖ）などの商用電源である交流電源系統と連系させた系統連系システムがあり、その一例を図９に示す。
【０００３】
この系統連系システムは、直流電源１と交流電源系統２の間に接続され、その直流電源１の出力電力を交流変換するインバータ３（ＤＣ／ＡＣインバータ）と、交流電源系統２に接続され、インバータ３の系統連系運転前にその制御電力を給電する制御電源５（ＡＣ／ＤＣ電源）と、インバータ３の交流側に接続され、インバータ出力の位相および振幅が交流電源系統２と一致した時点で交流電源系統２と連系させる開閉器４（電磁接触器）とで構成された電力変換器１０を具備する。なお、図中、９は直流電源１とインバータ３との間に接続された直流遮断器である。
【０００４】
図９の系統連系システムでは、交流電源系統２から制御電源５によりインバータ３の制御電力を給電している。例えば、ＡＣ２００Ｖを制御電源５でＤＣ２４Ｖに変換するようにしている。直流電源１の起動準備ができた時点で直流遮断器９を閉じることにより、直流電源１の出力電力をインバータ３で交流変換し、その交流出力が交流電源系統２の位相および振幅と一致した時点で、開閉器４を閉じることによりインバータ３を交流電源系統２と連系させ、直流電源１から給電される直流の電力を、交流側にある一般家庭などの交流電力需要家（図示せず）に送電するようにしている。なお、この開閉器４の開閉動作は、インバータ３の制御回路からの制御信号Ｓ１に基づいて行われる。
【０００５】
しかしながら、前述のように交流電源系統２から制御電源５によりインバータ３の制御電力を給電するに際しては、その制御電源５により交流電源系統２からの交流電力を直流変換し、かつ、高電圧（例えば２００Ｖ）から低電圧（例えば２４Ｖ）へ降圧していることから、その制御電源５での電力損失（電力変換損失、無負荷損失）が大きい。そこで、図１０に示す構成からなる系統連系システムが賞用されている。
【０００６】
この系統連系システムは、直流電源１と交流電源系統２の間に接続され、その直流電源１の出力電力を交流変換するインバータ３（ＤＣ／ＡＣインバータ）と、交流電源系統２にスイッチ７を介して接続され、インバータ３の系統連系運転前にその制御電力を給電する第一の制御電源５（ＡＣ／ＤＣ電源）と、インバータ３の直流側に接続され、インバータ３の系統連系運転中にその制御電力を給電する第二の制御電源６（ＤＣ／ＤＣ電源）と、インバータ３の交流側に接続され、インバータ出力の位相および振幅が交流電源系統２と一致した時点で交流電源系統２と連系させる開閉器４（電磁接触器）とで構成された電力変換器１０を具備する。
【０００７】
図１０の系統連系システムでは、インバータ３の系統連系運転前、交流電源系統２から第一の制御電源５によりインバータ３の制御電力を給電し、そのインバータ３の系統連系運転中には、直流電源１から第二の制御電源６によりインバータ３の制御電力を給電している。
【０００８】
つまり、インバータ３の系統連系運転前、交流電源系統２から第一の制御電源５によりインバータ３の制御電力を給電し、直流電源１の起動準備ができた時点で直流遮断器９を閉じることにより、直流電源１の出力電力をインバータ３で交流変換し、その交流出力が交流電源系統２の位相および振幅と一致した時点で、開閉器４を閉じることによりインバータ３を交流電源系統２と連系させ、その交流電力を一般家庭などの交流電力需要家（図示せず）に送電する。
【０００９】
この時、直流遮断器９が閉じていることから、直流電源１からも第二の制御電源６によりインバータ制御電力を給電する。なお、第一の制御電源５と第二の制御電源６はダイオードオア回路にて接続されていることから、直流電源側と交流電源系統側の両方から制御電力の給電が可能となっている。ここで、スイッチ７を開くことにより第一の制御電源５によるインバータ制御電力の給電を遮断し、第二の制御電源６による給電のみとしている。なお、この開閉器４およびスイッチ７の開閉動作は、インバータ３の制御回路からの制御信号Ｓ１，Ｓ２に基づいて行われる。
【発明の開示】
【発明が解決しようとする課題】
【００１０】
ところで、図９の系統連系システムでは、インバータ３の起動により交流電源系統２と連系させた後も、交流電源系統２から制御電源５によりインバータ３の制御電力を給電しているのに対して、図１０の系統連系システムでは、インバータ３の起動により交流電源系統２と連系した時点で、スイッチ７を開くことにより、第一の制御電源５によるインバータ３の制御電力の給電を遮断するようにしている。その結果、第一の制御電源５による電力損失をなくすことができる。
【００１１】
しかしながら、図１０の系統連系システムでは、第一の制御電源５によるインバータ３の制御電力の給電を遮断するスイッチ７を設け、そのスイッチ７を開くための制御信号Ｓ２をインバータ３から出力する必要がある。その結果、制御信号Ｓ２の信号出力用制御ポートをインバータ３に設けておかなければならない。
【００１２】
そこで、本発明は前述の問題点に鑑みて提案されたもので、その目的とするところは、インバータの信号出力用制御ポートが増加することを抑制し得る系統連系システムを提供することにある。
【課題を解決するための手段】
【００１３】
前述の目的を達成するための技術的手段として、本発明は、直流電源と交流電源系統間に接続され、その直流電源の出力を交流変換するインバータと、前記インバータの系統連系運転前にその制御電力を給電する第一の制御電源と、前記インバータの直流側に接続され、インバータの系統連系運転中にその制御電力を給電する第二の制御電源と、前記インバータの交流側に接続され、インバータ出力の位相および振幅が交流電源系統と一致した時点でインバータ制御回路からの制御信号に基づいて交流電源系統と連系させる開閉器とを備えた系統連系システムであって、前記第一の制御電源は、開閉器に既設されて前記インバータ制御回路からの制御信号に連動するＢ接点を介して交流電源系統に接続されていることを特徴とする。
【００１４】
前述の構成からなる系統連系システムでは、インバータの系統連系運転前、第一の制御電源により交流電源系統からインバータの制御電力を給電するようにしているが、前述の交流電源系統とは別に任意の電源系統がある場合、その任意の電源系統からインバータの制御電力を給電することも可能であり、その場合、第一の制御電源は、開閉器に既設のＢ接点を介して任意の電源系統に接続した構成とすればよい。
【００１５】
以上の構成からなる系統連系システムでは、インバータの起動によりインバータ出力の位相および振幅が交流電源系統と一致した時点で開閉器によりインバータを交流電源系統と連系させるが、これと同時に、開閉器に既設されたＢ接点を開くことにより、第一の制御電源によるインバータの制御電力の給電を遮断する。なお、開閉器のＢ接点を開いた後は、直流電源から第二の制御電源によりインバータの制御電力を給電する。
【００１６】
このように開閉器に既設されたＢ接点を利用することにより、従来のシステムにおいて交流電源系統と第一の制御電源間に介在するスイッチが不要となって部品点数の低減化が図れると共に、インバータにおいてスイッチの信号出力用制御ポートが不要となるのでインバータにおける信号出力用制御ポートの増加を抑制できる。
【００１７】
また、本発明は、直流電源と交流電源系統間に接続され、その直流電源の出力を交流変換するインバータと、前記インバータの系統連系運転前にその制御電力を給電する第一の制御電源と、前記インバータの直流側に接続され、インバータの系統連系運転中にその制御電力を給電する第二の制御電源と、前記インバータの交流側に接続され、インバータ出力の位相および振幅が交流電源系統と一致した時点でインバータ制御回路からの制御信号に基づいて交流電源系統と連系させる開閉器とを備えた系統連系システムであって、前記第一の制御電源は、インバータ制御回路からの制御信号に基づいて前記開閉器と連動して開閉する接点を介して交流電源系統に接続されていることを特徴とする。
【００１８】
前述の構成からなる系統連系システムでは、インバータの系統連系運転前、第一の制御電源により交流電源系統からインバータの制御電力を給電するようにしているが、前述の交流電源系統とは別に任意の電源系統がある場合、その任意の電源系統からインバータの制御電力を給電することも可能であり、その場合、第一の制御電源は、インバータ制御回路からの制御信号に基づいて開閉器と連動して開閉する接点を介して任意の電源系統に接続した構成とすればよい。その接点としては、Ａ接点あるいはＢ接点のいずれも使用可能である。
【００１９】
以上の構成からなる系統連系システムでは、インバータの起動によりインバータ出力の位相および振幅が交流電源系統と一致した時点で開閉器によりインバータを交流電源系統と連系させるが、これと同時に、インバータ制御回路からの制御信号に基づいて開閉器と連動して接点を開閉することにより、第一の制御電源によるインバータの制御電力の給電を遮断する。なお、開閉器と連動した接点の開閉後は、直流電源から第二の制御電源によりインバータの制御電力を給電する。
【００２０】
このようにインバータ制御回路からの制御信号に基づいて開閉器と連動して接点を開閉することにより、従来のインバータにおけるスイッチの信号出力用制御ポートが不要となるのでインバータの信号出力用制御ポートの増加を抑制できる。
【発明の効果】
【００２１】
本発明によれば、開閉器に既設されたＢ接点を利用する構成により、従来の交流電源系統と第一の制御電源間に介在するスイッチが不要となって部品点数の低減化が図れると共に、インバータにおいてスイッチの信号出力用制御ポートが不要となるのでインバータにおける信号出力用制御ポートの増加を抑制できる。その結果、インバータの制御電力を給電する手段として、低コストで、第一の制御電源損失がなくなる高効率の回路構成が可能となる。
【００２２】
また、インバータ制御回路からの制御信号に基づいて開閉器と連動する接点を開閉する構成により、従来のインバータにおけるスイッチの信号出力用制御ポートが不要となるのでインバータにおける信号出力用制御ポートの増加を抑制できる。その結果、インバータの制御電力を給電する手段として、低コストで、第一の制御電源損失がなくなる高効率の回路構成が可能となる。
【発明を実施するための最良の形態】
【００２３】
図１は本発明に係る系統連系システムの第一の実施形態を示す。この第一の実施形態における系統連系システムは、直流電源１１と交流電源系統１２の間に接続され、その直流電源１１の出力電力を交流変換するインバータ１３（ＤＣ／ＡＣインバータ）と、インバータ１３の交流側に接続され、インバータ出力の位相および振幅が交流電源系統１２と一致した時点で交流電源系統１２と連系させる開閉器１４（電磁接触器）と、交流電源系統１２に開閉器１４を介して接続され、インバータ１３の系統連系運転前にその制御電力を給電する第一の制御電源１５（ＡＣ／ＤＣ電源）と、インバータ１３の直流側に接続され、インバータ１３の系統連系運転中にその制御電力を給電する第二の制御電源１６（ＤＣ／ＤＣ電源）とで構成された電力変換器２０を具備する。なお、図中、１９は直流電源１１とインバータ１３との間に接続された直流遮断器である。
【００２４】
前述の開閉器１４は、常時開のＡ接点１４ａと常時閉のＢ接点１４ｂを有している。この実施形態では、Ａ接点１４ａを交流電源系統１２とインバータ１３の交流側との間に接続すると共に、Ｂ接点１４ｂを前述の交流電源系統１２と第一の制御電源１５との間に接続する。
【００２５】
図１に示す第一の実施形態における系統連系システムでは、インバータ１３の系統連系運転前、交流電源系統１２から開閉器１４のＢ接点１４ｂを介して第一の制御電源１５によりインバータ１３の制御電力を給電し、そのインバータ１３の系統連系運転中には、直流電源１１から第二の制御電源１６によりインバータ１３の制御電力を給電する。
【００２６】
つまり、インバータ１３の系統連系運転前、交流電源系統１２から第一の制御電源１５によりインバータ１３の制御電力を給電し、直流電源１１の起動準備ができた時点で直流遮断器１９を閉じることにより、直流電源１１の出力電力をインバータ１３で交流変換し、その交流出力が交流電源系統１２の位相および振幅と一致した時点で、インバータ１３の制御回路からの制御信号Ｓ１により開閉器１４のＡ接点１４ａが閉じることにより交流電源系統１２と連系させ、その交流電力を一般家庭などの交流電力需要家（図示せず）に送電する。
【００２７】
この時、直流遮断器１９が閉じていることから、直流電源１１からも第二の制御電源１６によりインバータ制御電力を給電する。なお、第一の制御電源１５と第二の制御電源１６はダイオードオア回路にて接続されていることから、直流電源側と交流電源系統側の両方から制御電力の給電が可能となっている。ここで、開閉器１４のＡ接点１４ａと連動するＢ接点１４ｂを開くことにより第一の制御電源１５によるインバータ１３の制御電力の給電を遮断し、第二の制御電源１６によるインバータ制御電力の給電のみとする。
【００２８】
このように開閉器１４に既設されたＢ接点１４ｂを利用することにより、従来のように第一の制御電源５をスイッチ７（図１０参照）を介して交流電源系統２に接続する必要がなくなるので、スイッチ７が不要となって部品点数の低減化が図れると共に、スイッチ７を開く制御信号Ｓ２（図１０参照）の信号出力用制御ポートをインバータ１３に設ける必要がなくなるので、インバータ１３における信号出力用制御ポートの増加を抑制できる。
【００２９】
第一の実施形態における系統連系システムでは、インバータ１３の系統連系運転前、交流電源系統１２から第一の制御電源１５によりインバータ１３の制御電力を給電するようにしているが、前述の交流電源系統１２以外の電源系統を利用することも可能である。図２は第二の実施形態を示し、交流電源系統１２とは別に任意の電源系統１２’（ＤＣｏｒＡＣ電源系統）がある場合を例示する。なお、図１に示す第一の実施形態と同一部分には同一参照符号を付して重複説明は省略する。
【００３０】
この第二の実施形態における系統連系システムは、開閉器１４に既設されたＢ接点１４ｂを介して第一の制御電源１５（ＤＣ／ＤＣ電源ｏｒＡＣ／ＤＣ電源）を、交流電源系統１２とは別に設置された任意の電源系統１２’に接続した構成としている。この場合、インバータ１３の系統連系運転前、任意の電源系統１２’から開閉器１４のＢ接点１４ｂを介して第一の制御電源１５によりインバータ１３の制御電力を給電し、そのインバータ１３の系統連系運転中、直流電源１１から第二の制御電源１６によりインバータ１３の制御電力を給電する。
【００３１】
つまり、インバータ１３の系統連系運転前、交流電源系統１２から第一の制御電源１５によりインバータ１３の制御電力を給電し、直流電源１１の起動準備ができた時点で直流遮断器１９を閉じることにより、直流電源１１の出力電力をインバータ１３で交流変換し、インバータ１３の交流出力が交流電源系統１２の位相および振幅と一致した時点で、インバータ１３の制御回路からの制御信号Ｓ１により、Ａ接点１４ａを介して交流電源系統２と連系させる。
【００３２】
ここで、開閉器１４のＡ接点１４ａと連動するＢ接点１４ｂを開くことにより、第一の制御電源１５による任意の電源系統１２’からのインバータ１３の制御電力給電を遮断し、第二の制御電源１６による直流電源１１からのインバータ１３の制御電力給電のみとする。
【００３３】
このように開閉器１４に既設されたＢ接点１４ｂを利用することにより、従来のように制御電源５と交流電源系統２の間に介在するスイッチ７（図１０参照）が不要となって部品点数の低減化が図れると共に、スイッチ７を開く制御信号Ｓ２の信号出力用制御ポートをインバータ１３に設ける必要がなくなるので、インバータ１３の信号出力用制御ポートの増加を抑制できる。
【００３４】
前述した第一および第二の実施形態では、開閉器１４のＢ接点１４ｂを交流電源系統１２または任意の電源系統１２’に接続した場合について説明したが、これ以外に、図３〜図６に示す第三〜第六の実施形態のような構成であってもよい。
【００３５】
図３に示す第三の実施形態では、二つのＡ接点１４ａ，１４ａ’を有し、インバータ１３と交流電源系統１２間に接続された一方のＡ接点１４ａに、他方のＡ接点１４ａ’を連動させるようにした開閉器１４’と、交流電源系統１２と第一の制御電源１５間に接続された一つのＢ接点１４ｂ’を有し、開閉器１４’のＡ接点１４ａ’にＢ接点１４ｂ’を連動させるようにした開閉器１４''を使用する。
【００３６】
開閉器１４’は、インバータ１３の制御回路からの制御信号Ｓ１に基づいてＡ接点１４ａを閉じると共にそのＡ接点１４ａに連動するＡ接点１４ａ’を閉じ、開閉器１４''は、前述の開閉器１４’のＡ接点１４ａ’に連動してＢ接点１４ｂ’を開くことになる。なお、図７は、前述の開閉器１４’と開閉器１４''の連動を説明するための具体的回路構成を示す。
【００３７】
この第三の実施形態における系統連系システムでは、インバータ１３の系統連系運転前、交流電源系統１２から開閉器１４''のＢ接点１４ｂ’を介して第一の制御電源１５によりインバータ１３の制御電力を給電し、そのインバータ１３の系統連系運転中には、直流電源１１から第二の制御電源１６によりインバータ１３の制御電力を給電する。
【００３８】
つまり、インバータ１３の系統連系運転前、交流電源系統１２から第一の制御電源１５によりインバータ１３の制御電力を給電し、直流電源１１の起動準備ができた時点で直流遮断器１９を閉じることにより、直流電源１１の出力電力をインバータ１３で交流変換し、インバータ１３の交流出力が交流電源系統１２の位相および振幅と一致した時点で、インバータ１３の制御回路からの制御信号Ｓ１により開閉器１４’の一方のＡ接点１４ａが閉じることにより交流電源系統１２と連系させる。
【００３９】
ここで、開閉器１４’の一方のＡ接点１４ａと連動する他方のＡ接点１４ａ’が閉じ、さらに、その開閉器１４’の他方のＡ接点１４ａ’と連動する開閉器１４''のＢ接点１４ｂ’が開くことにより、第一の制御電源１５によるインバータ１３の制御電力の給電を遮断し、第二の制御電源１６によるインバータ１３の制御電力の給電のみとする。
【００４０】
また、図４に示す第四の実施形態では、Ａ接点１４ａとＢ接点１４ｂ’を有し、インバータ１３と交流電源系統１２間に接続された一方のＡ接点１４ａに、他方のＢ接点１４ｂ’を連動させるようにした開閉器１４’と、交流電源系統１２と第一の制御電源１５間に接続された一つのＡ接点１４ａ’を有し、開閉器１４’のＢ接点１４ｂ’にＡ接点１４ａ’を連動させるようにした開閉器１４''を使用する。
【００４１】
開閉器１４’のＢ接点１４ｂ’が閉じていることから、開閉器１４''のＡ接点１４ａ’は閉じている状態にある。従って、開閉器１４’は、インバータ１３の制御回路からの制御信号Ｓ１に基づいてＡ接点１４ａを閉じると共にそのＡ接点１４ａに連動するＢ接点１４ｂ’を開き、開閉器１４''は、前述の開閉器１４’のＢ接点１４ｂ’に連動してＡ接点１４ａ’を開くことになる。なお、図８は、前述の開閉器１４’と開閉器１４''の連動を説明するための具体的回路構成を示す。
【００４２】
この第四の実施形態における系統連系システムでは、開閉器１４’のＢ接点１４ｂ’が閉じていることから、開閉器１４''のＡ接点１４ａ’は閉じている状態にあるため、インバータ１３の系統連系運転前、交流電源系統１２から開閉器１４''のＡ接点１４ａ’を介して第一の制御電源１５によりインバータ１３の制御電力を給電し、そのインバータ１３の系統連系運転中には、直流電源１１から第二の制御電源１６によりインバータ１３の制御電力を給電する。
【００４３】
つまり、インバータ１３の系統連系運転前、交流電源系統１２から第一の制御電源１５によりインバータ１３の制御電力を給電し、直流電源１１の起動準備ができた時点で直流遮断器１９を閉じることにより、直流電源１１の出力電力をインバータ１３で交流変換し、インバータ１３の交流出力が交流電源系統１２の位相および振幅と一致した時点で、インバータ１３の制御回路からの制御信号Ｓ１により開閉器１４’のＡ接点１４ａが閉じることにより交流電源系統１２と連系させる。
【００４４】
ここで、開閉器１４’のＡ接点１４ａと連動するＢ接点１４ｂ’が開き、さらに、その開閉器１４’のＢ接点１４ｂ’と連動する開閉器１４''のＡ接点１４ａ’が開くことにより、第一の制御電源１５によるインバータ１３の制御電力の給電を遮断し、第二の制御電源１６によるインバータ１３の制御電力の給電のみとする。
【００４５】
第三および第四の実施形態における系統連系システムでは、インバータ１３の系統連系運転前、交流電源系統１２から第一の制御電源１５によりインバータ１３の制御電力を給電するようにしているが、前述の第二の実施形態と同様、交流電源系統１２以外の電源系統を利用することも可能である。図５および図６は第五および第六の実施形態を示し、交流電源系統１２とは別に任意の電源系統１２’（ＤＣｏｒＡＣ電源系統）がある場合を例示する。なお、図５に示す第五の実施形態における開閉器１４’，１４''は、図３に示す第三の実施形態と同様であり、図６に示す第六の実施形態における開閉器１４’，１４''は、図４に示す第四の実施形態と同様である。
【００４６】
図５に示す第五の実施形態における系統連系システムは、開閉器１４’のＡ接点１４ａ’と連動するＢ接点１４ｂ’を有する開閉器１４''を任意の電源系統１２’と第一の制御電源１５間に接続した構成を具備する。
【００４７】
この場合、インバータ１３の系統連系運転前、任意の電源系統１２’から開閉器１４''のＢ接点１４ｂ’を介して第一の制御電源１５によりインバータ１３の制御電力を給電し、そのインバータ１３の系統連系運転中には、直流電源１１から第二の制御電源１６によりインバータ１３の制御電力を給電する。
【００４８】
つまり、インバータ１３の系統連系運転前、交流電源系統１２から第一の制御電源１５によりインバータ１３の制御電力を給電し、直流電源１１の起動準備ができた時点で直流遮断器１９を閉じることにより、直流電源１１の出力電力をインバータ１３で交流変換し、インバータ１３の交流出力が交流電源系統１２の位相および振幅と一致した時点で、インバータ１３の制御回路からの制御信号Ｓ１に基づいて開閉器１４’の一方のＡ接点１４ａが閉じることにより交流電源系統１２と連系させる。
【００４９】
ここで、開閉器１４’の一方のＡ接点１４ａと連動する他方のＡ接点１４ａ’が閉じ、さらに、その開閉器１４’の他方のＡ接点１４ａ’と連動する開閉器１４''のＢ接点１４ｂ’が開くことにより、任意の電源系統１２’からの第一の制御電源１５によるインバータ１３の制御電力給電を遮断し、直流電源１１からの第二の制御電源１６によるインバータ１３の制御電力給電のみとする。
【００５０】
また、図６に示す第六の実施形態における系統連系システムは、開閉器１４’のＢ接点１４ｂ’と連動するＡ接点１４ａ’を有する開閉器１４''を任意の電源系統１２’と第一の制御電源１５間に接続した構成を具備する。
【００５１】
この場合、開閉器１４’のＢ接点１４ｂ’が閉じていることから、開閉器１４''のＡ接点１４ａ’は閉じている状態にあるため、インバータ１３の系統連系運転前、任意の電源系統１２’から開閉器１４''のＡ接点１４ａ’を介して第一の制御電源１５によりインバータ１３の制御電力を給電し、そのインバータ１３の系統連系運転中には、直流遮断器１９を閉じることにより直流電源１１から第二の制御電源１６によりインバータ１３の制御電力を給電する。
【００５２】
つまり、インバータ１３の系統連系運転前、交流電源系統１２から第一の制御電源１５によりインバータ１３の制御電力を給電し、直流電源１１の起動準備ができた時点で直流遮断器１９を閉じることにより、直流電源１１の出力電力をインバータ１３で交流変換し、インバータ１３の交流出力が交流電源系統１２の位相および振幅と一致した時点で、インバータ１３の制御回路からの制御信号Ｓ１により開閉器１４’のＡ接点１４ａが閉じることにより交流電源系統１２と連系させる。
【００５３】
ここで、開閉器１４’のＡ接点１４ａと連動するＢ接点１４ｂ’が開き、さらに、その開閉器１４’のＢ接点１４ｂ’と連動する開閉器１４''のＡ接点１４ａ’が開くことにより、第一の制御電源１５によるインバータ１３の制御電力の給電を遮断し、第二の制御電源１６によるインバータ１３の制御電力の給電のみとする。
【００５４】
図３〜図６に示す第三〜第六の実施形態のようにインバータ１３からの制御信号Ｓ１に基づいて開閉器１４’のＡ接点１４ａ’またはＢ接点１４ｂ’と連動する開閉器１４''のＢ接点１４ｂ’またはＡ接点１４ａ’を開くことにより、従来のようにスイッチ７を開く制御信号Ｓ２（図１０参照）の信号出力用制御ポートをインバータ１３に設ける必要がなくなるので、インバータ１３の信号出力用制御ポートの増加を抑制できる。
【図面の簡単な説明】
【００５５】
【図１】本発明に係る系統連系システムの第一の実施形態を示す回路図である。
【図２】本発明に係る系統連系システムの第二の実施形態を示す回路図である。
【図３】本発明に係る系統連系システムの第三の実施形態を示す回路図である。
【図４】本発明に係る系統連系システムの第四の実施形態を示す回路図である。
【図５】本発明に係る系統連系システムの第五の実施形態を示す回路図である。
【図６】本発明に係る系統連系システムの第六の実施形態を示す回路図である。
【図７】第三および第五の実施形態における開閉器の連動関係を説明するための具体的回路図である。
【図８】第四および第六の実施形態における開閉器の連動関係を説明するための具体的回路図である。
【図９】従来の系統連系システムの一例を示す回路図である。
【図１０】従来の系統連系システムの他例を示す回路図である。
【符号の説明】
【００５６】
１１  直流電源
１２  交流電源系統
１３  インバータ
１４  開閉器
１４ｂ  Ｂ接点
１４ａ’，１４ｂ’  接点
１５  第一の制御電源
１６  第二の制御電源
【図１】
2005295648.tif 000003
【図２】
2005295648.tif 000004
【図３】
2005295648.tif 000005
【図４】
2005295648.tif 000006
【図５】
2005295648.tif 000007
【図６】
2005295648.tif 000008
【図７】
2005295648.tif 000009
【図８】
2005295648.tif 000010
【図９】
2005295648.tif 000011
【図１０】
2005295648.tif 000012